(57)【要約】  動く部分の少なくとも一部が前部に描かれている上体に着用される衣服（１）または衣類、しるし（３）（図案またはモチーフ）および該衣服に取り付けられている記章（４）（当て布またはバッジ）を含む動く部分（２）、動く部分の少なくとも一部を表示する該衣服の前部の裏側に取り付けられている連結システムを含み、該動く部分へ取り付けられ、該衣服に動きを誘発するための手段、および衣服に動きを誘発するための手段を含む娯楽装置。
2014518953.tif 000002
【特許請求の範囲】
【請求項１】
ａ）上体に着用される衣服または衣類であって、前記衣服の前部に動く部分の少なくとも一部が描かれている衣服または衣類と、
ｂ）図案またはモチーフなどのしるし、前記衣服にゆるく取り付けられる当て布またはバッジなどの記章、および前記衣服の前部の内側に取り付けられる連結システムを含む動く部分と、
ｃ）前記動く部分の少なくとも一部を表示する前記衣服の前部の裏側に取り付けられる連結システムを含む前記動く部分に取り付けられ、前記衣服内に動きを誘発する手段
とを含む娯楽装置。
【請求項２】
前記動きを誘発する手段が、手動で、または衣服の使用者の動きによって動かすことができる糸、紐、変形可能な弾性の糸などを含む請求項１記載の装置。
【請求項３】
前記動く部分が、剛性を与えるために溶着布材に溶着され、かつ同一の娯楽装置において記章の形を保持する請求項１記載の装置。
【請求項４】
前記連結システムが衣服の生地の裏側にゆるく取り付けられた移動部分を有し、動く部分の裏側の所定の位置で前記動きを誘発する手段に取り付けられ／縫い付けられている前記移動部分の位置の変更を可能にする請求項１記載の装置。
【請求項５】
前記記章が、前記動きを誘発する手段の少なくとも１つにゆるく縫い付けられている請求項１記載の動く部分。
【請求項６】
前記動く部分に取り付けられている前記動きを誘発する手段が、動く部分の生地の予め決められた位置に形成されているスリットを通る移動の位置とリンクしている請求項１記載の装置。
【請求項７】
前記しるしが、あらゆる物体上のあらゆる識別力のあるマーク、符号、象徴、表示または様相である請求項１記載の装置。
【請求項８】
前記記章が、特定の物体上に置かれているバッジまたは幾つかのシンボルである請求項１記載の装置。
【請求項９】
前記動きを誘発する手段が、少なくとも１つのスリットを通して挿入され、前記衣服の前部の脇の下の領域に隣接して縫い付けられ、その縫い目で少なくとも１つのひだが作られる請求項１記載の装置。
【請求項１０】
前記ひだが腕の動きによる位置の変化で誘発される追加の圧力を発生させ、前記娯楽装置における動きのシミュレーションを可能にする請求項９記載の装置。
【請求項１１】
前記動く部分がさらに、前記動きを誘発する手段および前記動く部分から使用者の身体を守るために、衣服の内部に縫い付けられた布材の少なくとも１つの追加の層を含んでいる請求項１記載の装置。
【請求項１２】
前記衣服に置かれる前記しるしおよび前記記章が、ナイロン、プラスチックシートなどを含む透明な布材のような追加の層で覆われている請求項１記載の装置。
【発明の詳細な説明】
【技術分野】
【０００１】
本発明は、娯楽装置に関する。さらに詳しくは、対象発明は、この娯楽装置の少なくとも一部の変位により誘発されて動く物体の少なくとも一部を描写する半自動娯楽装置を示している。本発明はまた、娯楽装置にこの動きを誘発する手段を提供する。
【背景技術】
【０００２】
娯楽装置は、種々の商品、その例を少し挙げると、電子機器、オーディオ／ビデオ装置、おもちゃ、マルチメディア、に亘って存在する。娯楽手段は近年飛躍的に成長し、その広がりは娯楽衣服として知られる新しい商品にまで現れてきている。
【０００３】
身に着けられる衣類や布などの娯楽衣服は、動く物体の一部の描写を利用し、その描写に動きの様相を与えるために、その物に取り付けられる手段を有している。これらの衣服は、作り出された動きに引き付けられ、また同じ物を着ようと駆り立てられる子供や若者に特にアピールする。時には、これらの娯楽装置は教育や学習の元としての働きをする。大衆（the mass）がそうしたタイプの娯楽装置に応じるので、これらの装置のマーケットを創造することによりこの状況を収入発生の源として利用し得る。
【０００４】
広く娯楽装置と呼ばれるそのような身に着けられる衣服の色々なタイプに関する特許が数多く存在する。
【０００５】
特許文献１は、衣服に形成される特徴（features）またはしるしを含む娯楽の元としての移動部分と、その衣服に取り付けられ、動きを誘発する手段とを備えた新規な身に着ける衣服を開示している。その動きは、手足の動きで動作を起こすようにされている。
【０００６】
特許文献２は、操作用の引き紐を備えた子供用スカートを開示しており、この引き紐のタグの働きにより子牛の頭を下げる動きを起こし、同時にモーと鳴く機構を動作させる。
【０００７】
特許文献３は、人の顔を表わすしるし、および、スロットを供する布目を裁った当て布、ならびに、口の近くにおけるＴシャツ素材の操作に続けて口のしるしおよび布目を裁った当て布の中のスロットを開けたときに、歯と舌を見せるための下層の描画された当て布を有するＴシャツの形の胴体操り人形（body puppet）および補助教材について述べている。
【０００８】
パターソンに権利付与された米国特許に係る特許文献４は、衣類の上に人の顔の少なくとも一部の描写を構成するしるしを有し、動かす手段と操作可能に連結され使用者の足または靴に結ばれた所定の長さをもつ透明な紐である駆動手段がつけられているＴシャツのような衣類を開示しており、歩いていると、しるしが動く様相を呈する。
【０００９】
前記最初の特許出願に開示されている、衣服に取り付けられ、動きを誘発する手段は、ポリマー材料の多層の布を利用しており、動きは、その可動部分の反対側、すなわち人体に近い部分に固定されたポリマー製の円筒体に取り付けられた弾性の糸または糸の助力により補助されている。動きを誘発するために用いられる布のタイプはザラザラしており、ヒトが着るには不快である。さらに、その衣服を洗濯する際、難しさを提起するであろう。
【００１０】
上記の特許文献２と特許文献３の特許に開示された装置の複雑さは、それらの装置の大量生産にそれなりの難しさまたは実施不能ささえも与える。剛性または半剛性の移動部品を利用しているので、使用者の身体の近くに着用する衣類は、これらの装置において快適に使用されることはあり得ない。
【００１１】
ズボンの全長を通して使用者のウエストから靴または足に下向きに走って延びている透明材を用いるパターソン特許（特許文献４）は、しばしば快適さに欠ける。さらに、透明な紐が繰り返し伸ばされることにより、衣類の弾力性が経時的に小さくなり、折り曲げ寿命における装置の有効性が減少し、衣類の形がゆがむ危険がある。
【００１２】
このように、従来技術と比べて改善された結果を与えるそうした娯楽装置の技術には、いまだ解決されていないニーズがある。
【先行技術文献】
【特許文献】
【００１３】
【特許文献１】インド特許出願第１６７７／ＫＯＬ／２００７号
【特許文献２】米国特許第２，５８２，６９９号明細書
【特許文献３】米国特許第４，３６５，３５３号明細書
【特許文献４】米国特許第４，９０９，７６９号明細書
【発明の概要】
【発明が解決しようとする課題】
【００１４】
本発明は従来の装置が直面している問題を解決するものであり、半自動的に動きの特徴を実現することができ、楽しめて興味をひく面白いしるしを有する簡単かつ安価で、しかも耐久性のある娯楽装置を提供することを目的とする。本発明はまた、動きを誘発することが可能な、使い易く、肌に優しく、かつ、繊維の損失無く、および／または娯楽装置に描かれている動きの特徴の変形無く洗える娯楽装置を提供するものである。
【００１５】
本発明の主たる目的は、娯楽装置の少なくとも一部の位置を変えることにより誘発される動く物体の少なくとも一部を描いている半自動の娯楽装置を提供することにある。
【００１６】
本発明の他の目的は、そうした動きを娯楽装置に誘発する手段を提供することにある。
【００１７】
本発明の他の１つの目的は、使い易い材料をその構造に利用した娯楽装置を提供することにある。
【００１８】
本発明のさらに別の目的は、簡単に洗え、それゆえ洗濯後も当初の形を維持し、より耐久性がある娯楽装置を提供することにある。
【００１９】
本発明のまた別の目的は、コスト効率の良い、したがって手ごろな価格の娯楽装置を提供することにある。
【００２０】
本発明のさらに別の目的は、そのような娯楽装置に動きを誘発する技術を提供することにある。
【課題を解決するための手段】
【００２１】
本発明は、ａ．その前部に動く部分／物体の少なくとも一部が描かれている上体に着用される衣服または衣類、ｂ．衣服に取り付けられたしるし（図案またはモチーフ）、記章、およびその衣服の前部の裏側に取り付けられている連結システムをさらに含む動く部分／物体、ｃ．紐／糸および変形可能な弾性の糸を含む衣服に取り付けられ、娯楽装置の少なくとも１つの部分の位置の変化に応答可能な動きを誘発する手段を含む半自動の娯楽装置を提供する。
【００２２】
定義
発明をより完全に理解するために、以下の定義を設ける。
【００２３】
本発明においてしるし（indicia）は、あらゆる物体（object）上のあらゆる識別力のあるマーク、符号（sign）、象徴（token）、表示（indication）または様相（appearance）と定義される。
【００２４】
本発明において記章（insignia）は、特定の物体上に置かれたバッジまたは幾つかのシンボルと定義される。
【００２５】
本発明において二重布（double layered cloth）は、服地の層および、衣服の前部の限定された位置に溶着された溶着布材（fusing fabric material）（バックラム）を含む。
【００２６】
連結システムは、移動部分と名付けられ、一緒に、または、記章もしくは動きを誘発する手段に、動く部分の限定された位置で縫い付けられ／取り付けられる正方形の／矩形の二重布部分を含む。
【００２７】
本発明において衣服の裏側は、衣服の前部の布の内側の／後ろの部分である。
【００２８】
本発明の一実施形態において、衣服としてはＴシャツを用い、動く部分または物体は、娯楽装置として動作するものの上に置かれ／取り付けられ／縫い付けられている。半自動の娯楽装置において、衣服に、動く物体（２）またはしるし、および記章を置く前に、そのしるしおよび記章は溶着布材に溶着される。動く物体またはしるし／記章を溶着布材に溶着する目的は、剛性を与え、かつ洗濯後もしるし／記章の形を維持することにある。溶着材は、我々が通常、シャツの襟に用い、バックラムと呼んでいるものである。
【００２９】
紐／糸などの少なくとも１つの手段および変形可能な弾性の糸などの少なくとももう１つの手段は、溶着している動く物体、または記章／移動部分の裏側に縫い付けられる。その後、変形可能な弾性の糸などのもう一つの手段が、予め決められた位置で服に縫い付けられる。ついで、紐／糸などの少なくとも１つの手段が、その紐／糸などの少なくとも１つの手段を挿入するために設けられた少なくとも１つのスリットに通される。紐／糸の一端は、限定された位置で矩形の移動部分に取り付け／縫い付けられる。スリットに通された紐の他端は、それぞれの縫い目により少なくとも１つのひだ（fold）ができるように、脇の下の領域に隣接して縫い付けられる。腕を前後に動かしている間に娯楽装置の変位により誘発される追加の圧力を発生させるためにこの紐／糸で作り出される１つのひだは、娯楽装置における動きのシミュレーション（simulation）を可能にする。布材の少なくとも１つの追加の層は、紐および溶着布材などの少なくとも１つの手段から装着者の身体を守るために、衣服の内側に縫い付けられる。任意であるが、衣服上のしるし／記章が置かれている領域は、そのしるし／記章の周囲に縫い付けられ、保護の追加の層を提供するナイロンなどの透明な布材で覆われてよい。
【００３０】
本発明の他の実施形態において、娯楽のために動きの様相を作り出すために用いられる衣服を含む半自動の娯楽装置は手動で制御できる。本発明において、動く部分または物体は、娯楽装置として動作する衣服に置かれ／取り付けられ／縫い付けられる。半自動娯楽装置において、衣服に動く物体（２）またはしるし／記章を置く前に、そのしるし／記章は衣服の前部の限定された位置で溶着布材に溶着される。
【００３１】
紐／糸などの少なくとも１つの手段は、記章にその一端で取り付けられ／縫い付けられ、他端は、紐／糸の挿入のために衣服に作られた凹部／スリットを通して挿入される。紐／糸の一端は連結システムの矩形の移動部分に限定された位置で取り付けられ／縫い付けられ、紐／糸の他端は、衣服の裏側の限定された位置で衣服に取り付けられる。変形可能な弾性の材料などの少なくとももう１つの手段は、予め決められた位置で、溶着された動く物体または記章の裏側に縫い付けられる。糸の端と一緒に衣服が引っ張られると、追加の圧力が生じて弾性の糸の引き伸ばしが生ずる。弾性の糸の引き伸ばしは、衣服を順に引き伸ばしたり引っ張ったりして、動きの印象を作り出す可動部分の位置の変化をもたらす。布材の少なくとも１つの追加の層は、紐および溶着布材などの少なくとも１つの手段から装着者の身体を守るために、衣服の内側に縫い付けられる。任意に、衣服にしるし／記章が置かれている領域は、そのしるし／記章の周囲に縫い付けられ、保護の追加の層を提供するナイロンなどの透明な布材で覆われてよい。
【発明の効果】
【００３２】
本発明はつぎのような多数の利点を有する。
【００３３】
本発明で用いる布はザラザラしておらず、以前の技術と比べてより快適に着られ、洗濯も容易である。
【００３４】
本発明を構成する衣服は実際に大量生産が可能である。
【００３５】
本発明で使用する部品は動きに関してより柔軟で、快適に装置に使用され得る。
【００３６】
本発明は、簡単かつ安価で、耐久性のある娯楽装置を提供する。
【００３７】
本発明は、使い易く、肌に優しく、かつ、繊維の損失無く、または娯楽装置に描かれている動きの特徴の変形無く洗えるものである。
【図面の簡単な説明】
【００３８】
本開示の上記の態様および他の特徴は、添付の図面と共に取り入れられた以下の記載で説明される。
【００３９】
【図１】本開示の一実施形態による、腕が通常の位置にあるときのしるしの正面を説明する図である。
【図２】本開示の一実施形態による、腕が位置を変えたときのしるしの正面を説明する図である。
【図３】本開示の一実施形態による、腕が通常の位置にあるときの動く部分の裏側の断面を説明する図である。
【図４】本開示の一の実施形態による、位置を変えたときの動く部分の裏側の断面を説明する図である。
【図５】本開示の他の実施形態による、腕が通常の位置にあるときのしるしの正面を説明する図である。
【図６】本開示の他の実施形態による、腕が位置を変えたときのしるしの正面を説明する図である。
【図７】本開示の他の実施形態による、腕が通常の位置にあるときの動く部分の裏側の断面を説明する図である。
【図８】本開示の他の実施形態による、位置を変えたときの動く部分の裏側の断面を説明する図である。
【発明を実施するための形態】
【００４０】
ここで、本発明の実施形態を添付の例示図面を参照して詳細に述べる。しかし、本開示は実施形態に限定されるものではない。本開示は種々の形態に変更できる。それゆえ、本開示の実施形態は、本開示の分野の当業者に、より明瞭に本開示を説明するためだけに設けられている。添付の図面において、同様の符号は同様の構成物を示すように使用されている。
【実施例】
【００４１】
実施例１
本発明の好ましい実施形態が図１〜４に示されている。
【００４２】
図１には、上体に着用される衣服（１）を含む半自動の娯楽装置が例示されている。図案またはモチーフ／しるし（３）が限定された位置で衣服の前部に印刷され、または取付けられ、また、衣服の前部の裏側の限定された位置で溶着布材（９）に溶着して継ぎはぎの外観を作り出している。この溶着布材（９）は、半自動娯楽装置における動く物体（２）によって覆われている裏地面に剛性を与える。これは、半自動娯楽装置の動く物体またはしるし／記章で覆われている領域を洗濯による変形から保護し、形を保つ。その継ぎはぎ部分に、細い紐（１０）などの少なくとも１つの手段の１つのスリットを通じた挿入のための少なくとも１つのスリット（５）が作られている。
【００４３】
図２は、動く部分の正面図であり、また、腕が位置（８）に離れて／前方にまたは後方に動くときの動く部分の位置を示している。動く部分（２）は凹部（６）を通して上昇し、動きの印象を作り出す。記章の行き来する動きは、記章／移動部分に取り付けられている紐（１０）の援助により実行される。記章のセット全部が溶着布材（９）に取り付けられており、その縁は記章の周りを全部、貼り付けるか十分に縫い付けることでしっかり取り付けられている。腕を後ろに位置させることにより圧力が発生し、紐／糸を衣服の前部の反対側または内側に引き、凹部（５）に沿って矩形の可動部（１４）／記章（４）の動きを引き起こし、また、この動きは、弾性の糸（１１）および一端が可動部／記章に、他端が衣服の内側の面に取り付けられた紐／糸（１０）の助力より補助される。記章および衣服に取り付けられている弾性の糸は、腕が休息位置にきたとき、動く部分が通常の位置に戻るように、援助する。
【００４４】
図３は、本発明の一実施形態による、腕（７）が通常の位置にあるときの動く部分（２）の裏側の断面を例示している。図は、図１に描かれているような移動部分（１４）の機構／連結システムの配置を記載しており、動く部分は、可動部分／記章（４）の動きを可能にするように凹部または小穴が開けられた衣服の前部の裏側の限定された位置で溶着されている溶着布材（９）を含む二重の布からなる。
【００４５】
図４は、本発明の一実施形態による、位置（１２）に変わったときの動く部分（２）の裏側の断面を例示している。それは歩いている間に、離れて／前方に／後方に（８）（apart/backward/forward (8)）腕が動くときの図２の組立て品の位置を示しており、その組立て品は、弾性の糸（１１）が伸びることで傾き、順に紐（１０）を引き伸ばし、そして引っ張る。これは、動きの印象を作り出す可動部分（１４）の位置の変化をもたらす。
【００４６】
実施例２
本発明の他の実施形態が図５〜８に提示されている。
【００４７】
図５は、本開示の第２実施形態による、腕が通常の位置におけるしるし（３）の正面を例示している。図案またはモチーフ（しるし）が、衣服（１）の前部の限定された位置に印刷されまたは取付けられ、そして、衣服の前部の裏側の限定された位置で溶着布材（９）に溶着して衣服の前部の裏側に継ぎはぎの外観を作り出している。その継ぎはぎ部分に、紐／糸（１０）などの少なくとも１つの手段の少なくとも１つのスリットを通じた挿入のための少なくとも１つのスリット（５）が作られている。
【００４８】
図６は、本発明の他の実施形態による、腕の位置が変わったときのしるし（３）の正面を例示している。図は、動く部分（２）の正面を示し、また、凹部（５）を通して上昇し、動きの印象を作り出すときの動く部分の位置を示している。記章の行き来する動きは、紐／糸（１０）の援助により実行される。記章のセット全部が衣服の前部の溶着布材（９）に取り付けられており、その縁は記章の周りを全部、貼り付けるか十分に縫い付けることでしっかり取り付けられている。糸の端と一緒に衣服が引っ張られると、追加の圧力が生じて弾性の糸の引き伸ばしが生ずる。弾性の糸の引き伸ばしは、順に紐を引き伸ばし、そして、衣服を引っ張って、動きの印象を作り出す可動部分の位置の変化をもたらす。記章および衣服に取り付けられている弾性の糸は、腕が休息位置にきたとき、動く部分が通常の位置に戻るように、援助する。
【００４９】
図７は、本発明の第２実施形態による、腕が通常の位置にあるときの動く部分の裏側の断面を例示している。図７は、図５に描かれたような移動部分／記章のシステムと配置を記載しており、動く部分は、可動部分（１４）／記章（４）の動きを可能にするために凹部または小穴が開けられた二重の布からなる。
【００５０】
図８は、本発明の第２実施形態による、位置が変わったときの動く部分（２）の裏側の断面を例示している。図８は、衣服が糸の端部と共に引っ張られるときの図６の組立て品の位置を示しており、それは追加の圧力を発生して弾性の糸を引き伸ばし、その組立て品は弾性の糸が伸びることで傾き、順に紐／糸を引き伸ばし、そして引っ張って、動きの印象を作り出す移動部分／記章の位置の変化をもたらす。
【００５１】
本発明の追加の修正や改良は当業者に自明であろう。それゆえ、ここに記載した部分の特定の組合せは本発明の一つの実施形態のみを提示しているにすぎず、本発明の主旨および範囲内で他の特徴を限定することを意図していない。
【符号の説明】
【００５２】
１  着る衣服
２  動く部分
３  図案モチーフの印刷／しるし
４  当て布／バッジ／記章
５  動く部分上の第１の凹部／スリット
６  動く部分上の第２の凹部／スリット
７  静止時の腕の位置
８  後ろに動いたときの腕の位置
９  溶着布
１０  紐／糸／ロープ 
１１  弾性の糸
１２  変化した位置
１３  縫い目
１４  移動部分
【図１】
2014518953.tif 000003
【図２】
2014518953.tif 000004
【図３】
2014518953.tif 000005
【図４】
2014518953.tif 000006
【図５】
2014518953.tif 000007
【図６】
2014518953.tif 000008
【図７】
2014518953.tif 000009
【図８】
2014518953.tif 000010
【国際調査報告】
2014518953.tif 000011
2014518953.tif 000012
2014518953.tif 000013